(57)【要約】【課題】  ＡＦキャリブレーションが行われた測距点を優先的に使用する事で常に良好な撮影結果が得られるようにする事である。【解決手段】  複数の焦点検出位置を有する焦点検出手段と、撮影レンズとカメラ本体の組合せにおいて発生する測距誤差を、焦点検出位置に対応した補正情報に基づき合焦位置補正を行う測距誤差補正手段と、前記補正情報を有する焦点検出位置を優先的に選択する焦点検出位置選択制御手段を有する事を特徴とする焦点検出装置。【選択図】        図１
2007033997.tif 000002
【特許請求の範囲】
【請求項１】
複数の焦点検出位置を有する焦点検出手段と、
撮影レンズとカメラ本体の組合せにおいて発生する測距誤差を、焦点検出位置に対応した補正情報に基づき合焦位置補正を行う測距誤差補正手段と、
前記補正情報を有する焦点検出位置を優先的に選択する焦点検出位置選択制御手段を有する事を特徴とする焦点検出装置。
【請求項２】
複数の焦点検出位置を有する焦点検出手段と、
撮影レンズとカメラ本体の組合せにおいて発生する測距誤差を、焦点検出位置に対応した補正情報に基づき合焦位置補正を行う測距誤差補正手段と、
前記補正情報を有する焦点検出位置のみ選択可能とする焦点検出位置選択制御手段を有する事を特徴とする焦点検出装置。
【請求項３】
複数の焦点検出位置を有する焦点検出手段と、
撮影レンズとカメラ本体の組合せにおいて発生する測距誤差を、焦点検出位置に対応した補正情報に基づき合焦位置補正を行う測距誤差補正手段と、
前記補正情報を有する焦点検出位置を優先的に選択する第一の選択モードと、前記補正情報を有する焦点検出位置のみ選択可能とする第二の選択モードを有する焦点検出位置選択制御手段を有する事を特徴とする焦点検出装置。
【請求項４】
請求項３記載の焦点検出装置において、
前記第一の選択モードと前記第二の選択モードを選択する焦点検出位置選択モード選択制御手段を有する事を特徴とする焦点検出装置。
【発明の詳細な説明】
【技術分野】
【０００１】
本発明は、複数の焦点検出位置を有する焦点検出装置に関する。
【背景技術】
【０００２】
従来、良好画像が撮影できるように、撮影に関するパラメータを自動的に調整する機能には、以下のようなものがある。
【０００３】
オートフォーカス機能は、基準となるレンズや距離において自動的にピント調整を行うものである。ピント調整においては、実際に撮影した場合に問題にならないレベルでの誤差を許容している。
【０００４】
ここで、オートフォーカス機能におけるピント調整に関して、特に一眼レフカメラシステムの場合には、カメラ本体と撮影レンズの双方に製造上（例えば、入力された位置指令信号に対して実際にフォーカスレンズが駆動される位置）の誤差や、調整値（例えば、焦点検出結果に基づくフォーカスレンズ位置の演算結果と真に合焦が得られるフォーカスレンズ位置とのずれを補正する値）の誤差を含んでいる。このため、一眼レフカメラと撮影レンズとを組み合わせた場合のオートフォーカスにおいては、許容量より大きなピント誤差（測距誤差）が発生するという問題がある。
【０００５】
特許文献１には、上記オートフォーカス機能に関する問題を解決する技術が提案されている。この技術では、位相差検出方式により算出したフォーカスレンズの位置を第１の焦点検出結果とするとともに、いわゆるＴＶ−ＡＦ又は山登りＡＦと称される方式によりフォーカスレンズをステップ的に移動させながら画像のコントラストの変化を判別して、コントラストが最大となるレンズ位置を第２の焦点検出結果とする。そして、これら第１および第２の焦点検出結果の差をオートフォーカスの補正値として記憶する。実際の撮影時には、位相差検出方式と上記記憶した補正値とを用いてオートフォーカスを行う。これにより、精度の高いオートフォーカスが行える。
【０００６】
しかしながら、特許文献１にて提案されている技術では、実際に撮影に使用する焦点検出方式以外の方式（コントラスト検出方式）での焦点検出を行わなければならない。コントラスト検出方式での演算やレンズの制御はかなり複雑であるので、それに必要な演算プログラムやレンズ制御プログラムの容量も相当大きくなる。このため、プログラムを格納するメモリの容量を大きくしたり、通常の撮影に使用される動作プログラムの容量を制限したりする必要が生じる。また、コントラスト検出方式に対応した電気回路構成（撮像素子の出力から高周波成分を抽出するためのローパスフィルタ等）も必要になってくる。
【０００７】
そこで、特許文献２には、下記のようなＡＦキャリブレーション技術が開示されている。
【０００８】
選択されて焦点検出位置において焦点検出動作・合焦動作を行って合焦位置を検出し、更にその合焦位置を基準に所定の量づつ合焦位置をずらして複数回撮影（ＡＦブラケット撮影）を行う。そして、撮影した画像から最適なピント位置の画像を選択し、選択された画像のＡＦブラケット量を装着されているレンズのＡＦピント位置補正値として記憶するものが提案されている。
【特許文献１】特開２０００−２９２６８４号公報（段落００７４〜００９８、図６，７等）
【特許文献２】特願２００３−３３７０７１号公報
【発明の開示】
【発明が解決しようとする課題】
【０００９】
前記従来技術においては、下記のような問題があった。
【００１０】
焦点検出位置が多数ある場合、全部の焦点検出位置においてＡＦ補正量を求めるのは、かなりの時間と労力を必要とする。その結果、撮影画面内の複数の位置で焦点検出が行える焦点検出装置を有し、全部の焦点検出位置において装着されているレンズのＡＦ位置補正量を算出していない場合に、ＡＦ補正量が求められていない焦点検出位置において焦点検出・合焦動作を行い撮影を行うと、ピント位置が最適でない画像を撮影してしまうという問題があった。
【００１１】
本発明は、以上の点に着目して成されたもので、ＡＦキャリブレーションが行われた測距点を優先的に使用する事で常に良好な撮影結果が得られるようにする焦点検出装置を提供することを目的とする。
【課題を解決するための手段】
【００１２】
この発明は下記の構成を備えることにより上記課題を解決できるものである。
【００１３】
（１）複数の焦点検出位置を有する焦点検出手段と、撮影レンズとカメラ本体の組合せにおいて発生する測距誤差を、焦点検出位置に対応した補正情報に基づき合焦位置補正を行う測距誤差補正手段と、
前記補正情報を有する焦点検出位置を優先的に選択する焦点検出位置選択制御手段を有する事を特徴とする。
【００１４】
（２）複数の焦点検出位置を有する焦点検出手段と、撮影レンズとカメラ本体の組合せにおいて発生する測距誤差を、焦点検出位置に対応した補正情報に基づき合焦位置補正を行う測距誤差補正手段と、前記補正情報を有する焦点検出位置のみ選択可能とする焦点検出位置選択制御手段を有する事を特徴とする。
【００１５】
（３）複数の焦点検出位置を有する焦点検出手段と、撮影レンズとカメラ本体の組合せにおいて発生する測距誤差を、焦点検出位置に対応した補正情報に基づき合焦位置補正を行う測距誤差補正手段と、前記補正情報を有する焦点検出位置を優先的に選択する第一の選択モードと、前記補正情報を有する焦点検出位置のみ選択可能とする第二の選択モードを有する焦点検出位置選択制御手段を有する事を特徴とする。
【００１６】
（４）複数の焦点検出位置を有する焦点検出手段と、撮影レンズとカメラ本体の組合せにおいて発生する測距誤差を、焦点検出位置に対応した補正情報に基づき合焦位置補正を行う測距誤差補正手段と、前記補正情報を有する焦点検出位置を優先的に選択する第一の選択モードと、前記補正情報を有する焦点検出位置のみ選択可能とする第二の選択モードを有する焦点検出位置選択制御手段と、前記第一の選択モードと前記第二の選択モードを選択する焦点検出位置選択モード選択制御手段を有する事を特徴とする。
【発明の効果】
【００１７】
複数の焦点検出位置を有する焦点検出手段を有する電子カメラにおいて、より最適なピント位置の画像を得るためのＡＦ補正量を算出している焦点検出位置での合焦動作をＡＦ補正量を算出していない焦点検出位置での合焦動作より優先的に選択し合焦動作を行うようにしたので、より最適なピント位置の画像を得る事が可能となる。
【００１８】
また、ＡＦ補正量を算出してある焦点検出位置で焦点検出が行えない場合には、ＡＦ補正量を算出していない焦点検出位置で合焦動作を行う事が出来るので、合焦不能による撮影不能という事を防ぐ事が出来る。
【発明を実施するための最良の形態】
【００１９】
以下、本発明の実施例について図面を参照しながら説明する。
【実施例１】
【００２０】
以下、本発明の実施例１について図１から図６を用いて説明する。
【００２１】
図１に示すように、本実施例の電子カメラ（撮像装置）２００には、撮影レンズ１００が不図示のマウント部のレンズ装着機構を介して着脱可能に取り付けられる。マウント部には、電気接点ユニット１０７が設けられている。電子カメラ２００は、撮影レンズ１００とこの電気接点ユニット１０７を介して通信を行い、撮影レンズ１００内のフォーカスレンズ１０１および光量を調節する絞り１０２の駆動を制御する。なお、図１には、撮影レンズ１００内のレンズとしてフォーカスレンズ１０１のみを示しているが、このほかに変倍レンズや固定レンズが設けられる場合がある。
【００２２】
不図示の被写体からの光束は、撮影レンズ１００内のレンズユニット１０１および絞り１０２を介して、電子カメラ２００内のクイックリターンミラー２０２に導かれる。クイックリターンミラー２０２は、撮影光路内に光軸に対して斜めに配置されて、被写体からの光束を上方のファインダー光学系に導く第１の位置（図示した位置）と、撮影光路外に退避する第２の位置とに移動が可能である。
【００２３】
クイックリターンミラー２０２の中央部はハーフミラーになっており、クイックリターンミラー２０２が第１の位置にダウンしているときには、被写体からの光束の一部が該ハーフミラー部を透過する。そして、この透過した光束は、クイックリターンミラー２０２の背面側に設けられたサブミラー２０３で反射し、焦点検出回路２０５とともに自動焦点調整ユニットを構成するＡＦセンサ２０４に導かれる。焦点検出回路２０５は、ＡＦセンサ２０４を用いて、図６に示すように、撮影画面内の複数の領域（焦点検出エリア：焦点検出領域）１〜３のうち、使用者又は後述するシステムコントローラにより選択された焦点検出エリアで撮影レンズ１００の焦点状態の検出（焦点検出）を行う。
【００２４】
一方、クイックリターンミラー２０２で反射された光束は、ペンタプリズム２０１および接眼レンズ２０６により構成されるファインダー光学系を介して撮影者の目に至る。
【００２５】
また、クイックリターンミラー２０２が第２の位置にアップした際には、撮影レンズ１０１からの光束は、機械シャッタであるフォーカルプレーンシャッタ２０８および光学フィルタ２０９を介して撮像素子２１０に至る。この撮像素子２１０は、ＣＣＤやＣＭＯＳセンサ等により代表されるイメージセンサである。光学フィルタ２０９は、赤外線をカットして可視光線のみを撮像素子２１０へ導く機能と、光学ローパスフィルタとしての機能とを有する。
【００２６】
また、フォーカルプレーンシャッタ２０８は、先幕および後幕を有して構成されており、撮影レンズ１００からの光束の透過および遮断を制御する。
なお、クイックリターンミラー２０２が第２の位置にアップしたときには、サブミラー２０３もクイックリターンミラー２０２に対して折り畳まれて撮影光路外に退避する。
【００２７】
また、本実施例の電子カメラ２００は、当該電子カメラ全体の制御を司るシステムコントローラ２２３を有する。システムコントローラ２２３は、ＣＰＵやＭＰＵ等により構成され、後述する各回路等の動作を制御する。
【００２８】
システムコントローラ２２３は、電気接点ユニット１０７を介して、撮影レンズ１００内のレンズ制御回路１０４と絞り制御回路１０６と通信を行う。レンズ制御回路１０４は、システムコントローラ２２３からの信号に応じて、フォーカスレンズ１０１を光軸方向に駆動してピント合わせを行うレンズ駆動機構１０３を制御する。レンズ駆動機構１０３は、ステッピングモータを駆動源として有する。
【００２９】
また、絞り制御回路１０６は、システムコントローラ２２３からの信号に応じて、絞り１０２を駆動する絞り駆動機構１０５を制御する。
【００３０】
また、システムコントローラ２２３は、シャッタ制御回路２１２と測光回路２０７とにも接続されている。シャッタ制御回路２１２は、システムコントローラ２２３からの信号に応じて、クイックリターンミラー２０２のアップダウン駆動およびフォーカルプレーンシャッタ２０８のシャッタチャージ駆動を行うシャッタチャージ・ミラー駆動機構２１１と、フォーカルプレーンシャッタ２０８の先幕および後幕の走行駆動とを制御する。
【００３１】
また、システムコントローラ２２３には、本電子カメラ２００を制御する上で調整が必要なパラメータや、電子カメラ個体の識別を行うための固有の情報であるカメラＩＤ（識別）情報や、基準レンズ（本電子カメラの工場での調整時に用いられる撮影レンズ）を用いて調整された、撮影に関するパラメータの調整値等が記憶されたＥＥＰＲＯＭ（記憶手段）２２２も接続されている。このＥＥＰＲＯＭ２２２は、特開２００５−１０９６２１号公報に開示されている方法において求められた測距誤差を補正しより良好なピント位置の画像を得るためのＡＦキャリブレーションデータも記憶する。
【００３２】
測光回路２０７は、接眼レンズ２０６の近傍に配設された測光センサ（図示せず）に接続されており、該センサを通じて被写体の輝度を測定する。測光回路２０７の測定結果は、システムコントローラ２２３へ送られる。
【００３３】
ここで、測光センサは、図６に示すように、撮影画面内の複数の測光エリア１〜３で測光ができるように分割されている。また、測光エリア１〜３はそれぞれが焦点検出エリア１〜３に対応している。
【００３４】
また、システムコントローラ２２３は、レンズ駆動機構１０３を制御することにより、被写体像をイメージセンサ２１０上に結像させる。また、システムコントローラ２２３は、設定されたＡｖ値に基いて、絞り駆動機構１０５を制御し、さらに、設定されたＴｖ値に基いてシャッタ制御回路２１２に制御信号を出力する。
【００３５】
フォーカルプレーンシャッタ２０８の先幕、後幕は、駆動源がバネにより構成されており、シャッタ走行後、次の動作のためにバネチャージを要する。シャッタチャージ・ミラー駆動機構２１１は、このバネチャージを制御する。また、シャッタチャージ・ミラー駆動機構２１１によりクリックリターンミラー２０２のアップダウン駆動が行われる。
【００３６】
また、上記システムコントローラ２２３には、画像データコントローラ２２０が接続されている。この画像データコントローラ２２０は、ＤＳＰ（デジタル信号プロセッサ）により構成される補正データサンプル回路及び補正回路であり、撮像素子２１０の制御を、該撮像素子２１０から入力された画像データの補正や加工などをシステムコントローラ２２３の指令に基いて実行する。画像データの補正・加工の項目の中には、オートホワイトバランスも含まれている。
【００３７】
オートホワイトバランスとは、撮影画像の中の最大輝度の部分を所定の色（白色）に補正する機能である。オートホワイトバランスについては、システムコントローラ２２３からの命令により補正量を変更することが可能である。
【００３８】
上記画像データコントローラ２２０には、タイミングパルス発生回路２１７、Ａ／Ｄコンバータ２１６、ＤＲＡＭ２２１、Ｄ／Ａコンバータ２１５および画像圧縮回路２１９が接続されている。これら画像データコントローラ２２０〜画像圧縮回路２１９により、撮影処理手段が構成される。
【００３９】
タイミングパルス発生回路２１７は、撮像素子２１０を駆動する際に必要なパルス信号を出力する。Ａ／Ｄコンバータ２１６は、撮像素子２１０と共にタイミングパルス発生回路２１７で発生されたタイミングパルスを受けて、該撮像素子２１０から出力される被写体像に対応したアナログ信号をデジタル信号に変換する。ＤＲＡＭ２２１は、得られた画像データ（加工や所定のフォーマットへのデータ変換が行われる前のデジタルデータとしての画像データを一時的に記憶する。
【００４０】
Ｄ／Ａコンバータ２１５には、エンコーダ回路２１４を介して画像表示回路２１３が接続されている。さらに、画像圧縮回路２１９には、画像データ記録メディア２１８が接続されている。
【００４１】
画像表示回路２１３は、撮像素子２１０で撮像された画像データを表示するための回路であり、一般にはカラーの液晶表示素子により構成される。
【００４２】
画像データコントローラ２２０は、ＤＲＡＭ２２１上の画像データを、Ｄ／Ａコンバータ２１５によりアナログ信号に変換してエンコーダ回路３１へ出力する。エンコーダ回路２１４はこのＤ／Ａコンバータ２１５の出力を、上記画像表示回路２１３を駆動する際に必要な映像信号（例えば、ＮＴＳＣ信号）に変換する。
【００４３】
上記画像圧縮回路２１９は、ＤＲＡＭ２２１に記憶された画像データの圧縮や変換（例えば、ＪＰＥＧデータへの変換）を行うための回路である。変換された画像データは、画像データ記録メディア２１８へ格納される。この記録メディア２１８としては、ハードディスク、半導体メモリ、磁気ディスク等が使用される。
【００４４】
さらに、システムコントローラ２２３には、動作表示回路２２５と、レリーズスイッチＳＷ１（２３１）と、レリーズスイッチＳＷ２（２３０）と、モード設定スイッチ２２９と、焦点検出エリア選択スイッチ２２８と、画像決定スイッチ（選択手段）２２７と、ブラケット量設定スイッチ２３２と、測光エリア選択スイッチ２３５と、電子ダイヤルスイッチ２２６と、カウンター２３３と、ブザー２３４とが接続されている。
【００４５】
動作表示回路２１３は、上記各スイッチ類により設定又は選択されたカメラの動作状態を、液晶素子により表示する。
【００４６】
レリーズスイッチＳＷ１（２３１）は、測光・焦点検出エリアなどの撮影準備動作を開始させるためのスイッチである。レリーズスイッチＳＷ２（２３０）は、撮影動作（静止画像を取得するための電荷蓄積および電荷読み出し動作）を開始させるためのスイッチである。
【００４７】
また、モード設定スイッチ２２９は、ユーザが所望の動作を本電子カメラに実行させるためのモードを設定するスイッチである。焦点検出エリア選択ＳＷ２２８は、前述した複数の焦点検出エリアから、焦点検出を行う焦点検出エリアを選択するためのスイッチである。
【００４８】
また、画像決定スイッチ２２７は、ブラケット撮影により得られた複数の画像の中から１つを選択させるスイッチである。ブラケット量設定スイッチ２３２は、ブラケット撮影におけるパラメータの変更量であるブラケットステップ量（所定量）を設定するためのスイッチである。
【００４９】
測光エリア選択スイッチ２３５は、前述した複数の焦点検出エリアから測光を行う測光エリアを選択するためのスイッチである。電子ダイヤルスイッチ２２６は、その回転操作に応じて撮影に関するパラメータをアップダウンさせ、かつ表示する。
【００５０】
カウンター２３３は、各種ブラケット撮影を行う際のレリーズ回数をカウントするためのカウンターである。カウンター２３３の計数値リセットはシステムコントローラ２２３により行われる。
【００５１】
ブザー２３４は、各種動作に対応した音や警告音を発する。
【００５２】
一方、撮影レンズ１００において、レンズ制御回路１０４には、該撮影レンズ１００の焦点距離や開放絞り値等の性能情報、該撮影レンズ１００を識別するための固有の情報であるレンズＩＤ（識別）情報、およびシステムコントローラ２２３から通信により受け取った情報を記憶するメモリ（図示せず）が設けられている。なお、性能情報およびレンズＩＤ情報は、電子カメラ２００への装着時における初期通信により、システムコントローラ２２３に送信され、システムコントローラ２２３はこれらをＥＥＰＲＯＭ２２２に記憶させる。
【００５３】
また、本電子カメラ２００には、パーソナルコンピュータに代表される外部接続機器３００を接続するための通信インターフェース回路２２４が設けられている。システムコントローラ２２３は、通信インターフェース回路２２４介して外部制御装置３００と通信することができる。
【００５４】
図２を用いてＡＦ補正値有り焦点検出エリア優先モード設定シーケンスを説明する。このシーケンスは、システムコントローラ２２３がプログラムに従って実行するものである。なお、後述する各シーケンスについても同様である。ここで述べる優先モードとは、装着されているレンズに対応したＡＦ補正量が算出された焦点検出エリアが存在する場合に、その焦点検出エリアを優先的に合焦動作に用いる合焦モードの事である。
【００５５】
ステップＳ１０１において、モード選択ボタンが操作されモード選択ＳＷ２２９がＯＮしたかどうか判別する。ＯＮしていれば、ステップＳ１０２で、装着されているレンズ１００に対応するＡＦ補正量がＥＥＰＲＯＭ２２２に記憶されているどうか判別を行う。ＡＦ補正量がＥＥＰＲＯＭ２２２に記憶されていればステップＳ１０３に移行し、ＡＦ補正量がＥＥＰＲＯＭ２２２に記憶されていなければ、優先モード選択シーケンスを終了し撮影シーケンスへと移行する。
【００５６】
ステップＳ１０３ではユーザによって操作される電子ダイヤルＳＷ２２６の回転量・回転方向を検出し、設定を切り替える。ステップＳ１０４ではモード選択ＳＷ２２９がＯＦＦしたかどうか判別し、ＯＦＦしていればステップＳ１０５に移行し、ステップＳ１０３で最終的に選択されていたモードに切り替える。ＡＦ補正値有り焦点検出エリア優先モードが選択されていた場合、ＡＦ補正値有り焦点検出エリア優先モードを有効に設定する。
【００５７】
図３を用いて、焦点検出エリア選択シーケンスを説明する。
【００５８】
まず、ステップＳ３０１において、システムコントローラ２２３は、焦点検出エリア選択スイッチ２２８がＯＮされたかどうかを判別する。ＯＮされていればステップＳ３０２へ移行する。
【００５９】
ステップＳ３０２では、ＡＦ補正値有り焦点検出エリア優先モードが有効に設定されているかどうかを判別する。ＡＦ補正値有り焦点検出エリア優先モードが有効の場合、ステップＳ３０３に移行し、ＡＦ補正値有り焦点検出エリア優先モードが無効の場合、ステップＳ３０４に移行する。
【００６０】
ステップＳ３０３では、ＡＦ補正値を持つ焦点検出エリアだけを任意選択可能に設定する。
【００６１】
ステップＳ３０４では、電子ダイヤルスイッチ２２６が操作されたかどうかを判別し、操作されていればその操作方向および操作量の検出を行う。
【００６２】
ステップＳ３０５では、ステップＳ３０５で検出した電子ダイヤルスイッチ２２６の操作方向および操作量に応じて、焦点検出エリアを変更する。ＡＦ補正値有り焦点検出エリア優先モードが無効の場合、選択される焦点検出エリアは、全部→焦点検出エリア１→焦点検出エリア２→焦点検出エリア３→全部という順序で循環的に切り換わる。ＡＦ補正値有り焦点検出エリア優先モードが有効の場合、前記ＡＦ補正値有り焦点検出エリア優先モード無効の場合と同じ順序で、ＡＦ補正値を有する焦点検出エリアのみ選択可能に切り替わる。
【００６３】
ステップＳ３０６では、再び焦点検出エリア選択スイッチ２２８がＯＮされたかどうかを判別する。ＯＮされていればステップＳ３０４へ移行し、ＯＮされていなければ本フローを終了する。
【００６４】
次に、図４を用いて、撮影シーケンスについて説明を行う。ここで、撮影シーケンスは、前述した「ＴＶ優先モード」，「ＡＶ優先モード」および「プログラムモード」を言うが、これら各モード特有の動作の説明は省略し、共通する動作のみ説明する。
【００６５】
ステップＳ４０１では、システムコントローラ２２３は、レリーズスイッチＳＷ１（２３１）がＯＮされたかどうかを判別する。ＯＮされれば露出量を決定するステップＳ４０２と焦点検出を行うステップＳ４０４とに分岐・移行する。
【００６６】
ステップＳ４０２では、撮影レンズ１００を通り、クイックリターンミラー２０２で反射されてペンタプリズム２０１を通過した光束を、測光回路２０７で測光する。ステップＳ４０３では、測光回路２０７の出力に応じて通常撮影時における露出量（絞り値および撮像素子２１０の電荷蓄積（積分）時間）を決定する。
【００６７】
ステップＳ４０４では、ＡＦセンサ２０４および焦点検出回路２０５を用いて、焦点検出エリアでの焦点検出を行う。焦点検出エリアが任意に選択されている場合には、図３に示すシーケンスにて選択された焦点検出エリアにて焦点検出を行う。焦点検出状態に応じてシーケンスコントローラ２２３が自動的に選択して焦点検出を行う自動選択（図３のステップＳ３０５で「全部」が選択されていた場合）の場合の焦点検出エリア選択については、図５を用いて後述する。
【００６８】
ステップＳ４０５では、焦点検出ができたかどうかを判別する。焦点検出ができなかった場合には、ステップＳ４０９へ移行して、警告（画像表示回路２１３での表示やブザー２３４からの警告音の発生）を行う。焦点検出ができた場合は、ステップＳ４０６に進む。
【００６９】
ステップＳ４０６では、ＥＥＰＲＯＭ２２２からレンズＩＤ情報を読み出し、電子カメラ２００に装着されている撮影レンズ１００を判別する。さらに、焦点検出を行うよう選択された焦点検出エリアのＡＦ補正量がＥＥＰＲＯＭ２２２に記憶されているかどうかを判別する。ＡＦ補正量が記憶されていなければ、ＡＦ補正量を焦点検出結果に加算せずにステップＳ４０８に進む。ＡＦ補正量が記憶されていればステップＳ４０７で、該ＡＦ補正量を読み出して焦点検出結果に加算し、ステップＳ４０８に移行する。
【００７０】
ステップＳ４０８では、焦点検出結果と調整値（製造時のデフォーカス量調整データ）とＡＦ補正量とに基づいてフォーカスレンズ１０１の駆動量（補正後のレンズ駆動量）を算出し、その結果をレンズ制御回路１０４に送信する。レンズ制御回路１０４は受信したレンズ駆動量のデータを、レンズ駆動機構１０３のステッピングモータに与える駆動パルス数に換算し、該ステッピングモータを制御して、フォーカスレンズ１０１を駆動する。
【００７１】
ここで、ＡＦ補正量がＥＥＰＲＯＭ２２２に記憶されていた場合には、
補正後のレンズ駆動量＝焦点検出結果（デフォーカス量）
＋調整値（製造時のデフォーカス量調整データ）
＋ＡＦ補正量（ＡＦキャリブレーションデータ）
となる。
【００７２】
ステップＳ４１０では、レリーズスイッチＳＷ２（２３０）がＯＮされたかどうかを判別する。ＯＮされていれば、ステップＳ４１１へ移行する。
ステップＳ４１１では、システムコントローラ２２３は、シャッタチャージ・ミラー駆動機構２１１を制御して、クイックリターンミラー２０２のアップ駆動を行わせる。
【００７３】
ステップＳ４１２では、ステップＳ４０３で設定された絞り値情報を絞り制御回路１０６へ送信する。絞り制御回路１０６は、絞り駆動機構１０５を駆動して、絞り１０２を設定された絞り値まで絞り込む。
【００７４】
ステップＳ４１３では、フォーカルプレーンシャッタ１０を開くように制御する。さらにステップＳ４１４では、画像データコントローラ（ＤＳＰ）２２０に対して撮像素子２１０の電荷蓄積動作（積分動作）を指示する。ステップＳ４１５では、ステップ４０３で決定された積分時間の間、待機する。そして積分時間が終わると、ステップＳ４１６へ移行し、フォーカルプレーンシャッタ１０を閉じるように制御する。
【００７５】
次に、ステップＳ４１７では、次回の動作に備えてフォーカルプレーンシャッタ２０８のチャージ動作およびクイックリターンミラー２０２のダウン駆動を行う。ステップＳ４１８では、絞り１０２を開放へと駆動する。ステップＳ４１９では、画像データコントローラ２２０に対して撮像素子２１０から画像データを取り込むように指示する。ステップＳ４２０では、読み出した画像データを画像圧縮回路２１９を介して画像データ記録メディア２１８へ記録し、本フローを終了する。
【００７６】
図５を用いて、焦点検出エリア選択が自動選択の場合の焦点検出シーケンスについて説明を行う。
【００７７】
ステップＳ２０１で、装着されているレンズに対応したＡＦ補正値を有する焦点検出エリアにおいて焦点検出を行う。
【００７８】
ステップＳ２０２では、ステップＳ２０１で焦点検出可能だったかどうかの判別を行う。焦点検出可能だった場合、ステップＳ２０３に移行する。焦点検出不能だった場合、ステップＳ２０４に移行する。
【００７９】
ステップＳ２０３では、ステップＳ２０１で焦点検出した焦点検出エリアで最至近の焦点検出結果が得られた焦点検出エリアを選択する。そして、元の撮影シーケンスへ戻る。
【００８０】
ステップＳ２０４では全焦点検出エリアで焦点検出を行う。
【００８１】
ステップＳ２０５でステップＳ２０４で焦点検出が可能だったかどうか判別を行う。焦点検出可能だった場合、ステップＳ２０６へ移行する。焦点検出不能だった場合ステップＳ２０７へ移行する。
【００８２】
ステップＳ２０６では、ステップＳ２０４で焦点検出した焦点検出エリアで最至近の焦点検出結果が得られた焦点検出エリアを選択する。そして、元の撮影シーケンスへ戻る。
【００８３】
ステップＳ２０７では、焦点検出不能とし元の撮影シーケンスへ戻る。
【００８４】
本実施例において、焦点検出位置選択制御手段に該当するものは、焦点検出位置選択が任意選択の場合は焦点検出エリア選択ＳＷ２２８、電子ダイヤルＳＷ２２６及びシーケンスコントローラ２２３となる。焦点検出位置選択が自動選択の場合も同様である。
【００８５】
焦点検出位置選択モード選択手段は、焦点検出エリア選択ＳＷ２２８、電子ダイヤルＳＷ２２６及びシーケンスコントローラ２２３となる。
【００８６】
焦点検出位置選択制御手段における第一の選択モードは、焦点検出位置自動選択モードである。第二の選択モードは、焦点検出位置自動選択任意選択モードである。
【００８７】
測距誤差補正手段は、シーケンスコントローラ２２３となる。
【図面の簡単な説明】
【００８８】
【図１】電子カメラのブロック図
【図２】ＡＦ補正値有り焦点検出エリア優先モード設定シーケンス説明図
【図３】焦点検出エリア選択シーケンス説明図
【図４】撮影シーケンス説明図
【図５】焦点検出エリア選択が自動選択の場合の焦点検出シーケンス説明図
【図６】ファインダー観察像と測距エリア、測光エリアの関係説明図
【符号の説明】
【００８９】
１００  撮影レンズユニット
１０１  撮影レンズ
１０２  絞り
１０３  レンズ駆動機構
１０４  レンズ制御回路
１０５  絞り駆動機構
１０６  絞り制御回路 
１０７  電気的接点群
２００  電子カメラ
２０１  ペンタプリズム
２０２  クイックリターンミラー
２０３  サブミラー
２０４  ＡＦセンサ
２０６  接眼レンズ
２０７  測光回路
２０８  フォーカルプレーンシャッタ
２０９  フィルタ
２１０  イメージセンサ
２１１  シャッタチャージ・ミラー駆動機構  
２１２  シャッタ制御回路
２１３  画像表示回路 
２１４  エンコーダ回路
２１５  Ｄ／Ａコンバータ
２１６  Ａ／Ｄコンバータ
２１７  タイミングパルス発生回路
２１８  画像データ記録メディア
２１９  画像圧縮回路 
２２０  画像データコントローラ
２２１  ＤＲＡＭ
２２２  ＥＥＰＲＯＭ
２２３  システムコントローラ
２２４  通信インターフェース回路
２２５  動作表示回路 
２２６  電子ダイヤルＳＷ
２２７  決定ＳＷ
２２８  焦点検出エリア選択ＳＷ
２２９  モード設定ＳＷ
２３０  レリーズＳＷ２
２３１  レリーズＳＷ１
２３２  ブラケット量設定ＳＷ
２３３  カウンター
２３５  測光エリア選択ＳＷ
３００  外部制御装置
【図１】
2007033997.tif 000003
【図２】
2007033997.tif 000004
【図３】
2007033997.tif 000005
【図４】
2007033997.tif 000006
【図５】
2007033997.tif 000007
【図６】
2007033997.tif 000008